(57)【要約】【課題】本発明は、ビデオの中の追加情報を収集して表示するシステム及びその方法を提供することを目的とする。【解決手段】本発明のビデオの中の追加情報を収集して表示する方法は、ビデオの中の製品の追加情報を定義するステップと、表示装置にビデオを表示するステップと、製品に追加情報があると、表示領域に提示標識を表示するステップと、提示標識が選択されると、追加情報をコレクターに記憶するステップと、ビデオを放送しているところ、観衆がコレクターの起動ボタンを選択したかどうかを検出するステップと、ビデオを放送しているところ、観衆が前記コレクターの起動ボタンを選択すると、ビデオ放送を一時停止し、製品の追加情報を表示するが、これに反すると、ビデオ放送が終了する際、製品の追加情報を表示するステップと、を備える。本発明は、ビデオの中の追加情報を収集して表示するシステムも提供する。【選択図】図２
2012095297.tif 000002
【特許請求の範囲】
【請求項１】
表示装置に接続された電子装置の中で実施されるビデオの中の追加情報を収集して表示する方法であって、
ビデオの中の製品の追加情報を定義し、且つ前記製品が出現する時間に基づいて、前記製品に対応する追加情報をビデオの画面に埋め込むステップと、
前記表示装置にビデオを表示するステップと、
前記表示装置にビデオを表示する際、前記ビデオの目下の画面の中の製品に対して検出して、前記製品に追加情報があると、前記ビデオのイメージから選択した表示領域に提示標識を表示するステップと、
前記提示標識が選択されると、前記ビデオの目下の画面の中の製品に対応する追加情報をコレクターに記憶するステップと、
ビデオを放送しているところ、観衆が前記コレクターの起動ボタンを選択したかどうかを検出するステップと、
ビデオを放送しているところ、観衆が前記コレクターの起動ボタンを選択すると、ビデオ放送を一時停止し、前記表示装置に前記製品に対応する追加情報を表示するが、ビデオを放送しているところ、観衆が前記コレクターの起動ボタンを選択しないと、ビデオ放送が終了する際、前記表示装置に前記製品に対応する追加情報を表示するステップと、
を備えることを特徴とするビデオの中の追加情報を収集して表示する方法。
【請求項２】
前記追加情報は、製品のサイズ、形、材料および価格と関係する情報であり、テキスト、オーディオ、広告ファイル、ウェブ広告及び/又は買い物をするウェブサイトを使用して示されることを特徴とする請求項１に記載のビデオの中の追加情報を収集して表示する方法。
【請求項３】
前記ビデオの中の追加情報を収集して表示する方法は、ビデオの中の製品の追加情報を定義してから、ビデオの中の製品及びその追加情報をビデオのイメージタイプドキュメントに記憶するステップをさらに備えることを特徴とする請求項２に記載のビデオの中の追加情報を収集して表示する方法。
【請求項４】
前記ビデオの中の追加情報を収集して表示する方法は、
前記提示標識の色及び形状も定義するステップと、
パターンツール枠によってビデオのイメージから前記提示標識の表示領域を選択するステップと、
前記製品がビデオに出現する時間によって、前記提示標識がビデオに出現する開示時間及び終了時間を設置するステップと、
をさらに備えることを特徴とする請求項１に記載のビデオの中の追加情報を収集して表示する方法。
【請求項５】
前記ビデオの中の追加情報を収集して表示する方法は、ビデオを放送しているところ、観衆が前記コレクターの起動ボタンを選択しないと、ビデオを放送した後の任意の時間に、観衆が前記コレクターの起動ボタンを選択すると、前記表示装置に前記製品に対応する追加情報を表示するステップをさらに備えることを特徴とする請求項１に記載のビデオの中の追加情報を収集して表示する方法。
【請求項６】
前記提示標識の数量は、ビデオの目下の画面の中の製品の数量と同じであり、パターンツール枠によってビデオの画面の各々の製品の周囲の領域を選択して、前記提示標識の表示領域とすることができ、前記表示領域の数量は、前記提示標識の数量と同じであることを特徴とする請求項１に記載のビデオの中の追加情報を収集して表示する方法。
【請求項７】
表示装置に接続された電子装置の中で実施するイメージ情報を捜すシステムであって、
ビデオの中の製品の追加情報を定義し、且つ前記製品が出現する時間に基づいて、前記製品に対応する追加情報をビデオの画面に埋め込む定義モジュールと、
前記表示装置に前記ビデオを表示する際、前記ビデオの目下の画面の中の製品に追加情報があるかどうかを検出する検出モジュールと、
前記製品に追加情報があると、前記ビデオのイメージから選択した表示領域に提示標識を表示する表示モジュールと、
前記提示標識が選択されると、前記ビデオの目下の画面の中の製品に対応する追加情報をコレクターに記憶する記憶モジュールと、
を備え、
前記検出モジュールは、ビデオを放送しているところ、観衆が前記コレクターの起動ボタンを選択したかどうかも検出し、
前記表示モジュールは、ビデオを放送しているところ、観衆が前記コレクターの起動ボタンを選択すると、ビデオ放送を一時停止し、前記表示装置に前記製品に対応する追加情報を表示するが、ビデオを放送しているところ、観衆が前記コレクターの起動ボタンを選択しないと、ビデオ放送が終了する際、前記表示装置に前記製品に対応する追加情報を表示することを特徴とするビデオの中の追加情報を収集して表示するシステム。
【請求項８】
前記定義モジュールは、前記提示標識の色及び形状も定義することを特徴とする請求項７に記載のビデオの中の追加情報を収集して表示するシステム。
【請求項９】
前記ビデオの中の追加情報を収集して表示するシステムは、パターンツール枠によってビデオのイメージから前記提示標識の表示領域を選択し、且つ製品がビデオに出現する時間によって、前記提示標識がビデオに出現する開示時間及び終了時間を設置する設置モジュールをさらに備えることを特徴とする請求項７に記載のビデオの中の追加情報を収集して表示するシステム。
【発明の詳細な説明】
【技術分野】
【０００１】
本発明は、広告方法に関するものであり、特にビデオの中の追加情報を収集して表示するシステム及びその方法に関するものである。
【背景技術】
【０００２】
現在、プロダクトプレイスメント（Ｐｒｏｄｕｃｔ  Ｐｌａｃｅｍｅｎｔ）は、広告手法の一つとして、映画やテレビドラマの劇中に広く応用されており、役者に特定の商品を絡ませて、商品の価値を再び解釈して、商品のイメージを高める。
【発明の概要】
【発明が解決しようとする課題】
【０００３】
しかし、従来のプロダクトプレイスメントは、以下の欠点がある。第一に、商品情報が欠乏している。観衆はテレビドラマや映画のストーリーから商品情報を獲得することができず、例えば、観衆がドラマの主役の身に着けている服について非常に興味を持っているが、この服の情報を調べることができないため、通常テレビドラマが終わってから、スポンサーの情報を調べることが必要となり、このような非効率な方式により潜在的消費者を失う。第二に、ブランドの視認性が高くない。現実において、あらゆる商品が全て車のように明らかな商標を有するわけではなく、例えば、携帯電話、ハイヒール又は観光地は映画の中ではかならずしも明らかな商標があるわけではなく、もしシーンにおいてこれらの商品の商標を強調過ぎると、かえって観衆の反感をもたらす。第三に、現在のプロダクトプレイスメントは製品の入手方法を獲得し難い。消費者はショッピングしたくても、どこで必要とする商品を買うかを知らないので、長い時間捜し求めなければならなくなり、従って成功的なマーケティングが行えても便利な商品獲得入手方法がないので取引することができない。
【０００４】
本発明の目的は、前記課題を解決し、従来のプロダクトプレイスメントにおける、商品情報が欠乏し、ブランドの視認性が高くなく、製品の入手方法を獲得し難いなどの欠点を克服することができるビデオの中の追加情報を収集して表示するシステム及びその方法を提供することである。
【課題を解決するための手段】
【０００５】
本発明に係るビデオの中の追加情報を収集して表示するシステムは、表示装置に接続された電子装置の中で実施し、ビデオの中の製品の追加情報を定義し、且つ前記製品が出現する時間に基づいて、前記製品に対応する追加情報をビデオの画面に埋め込む定義モジュールと、前記表示装置に前記ビデオを表示する際、前記ビデオの目下の画面の中の製品に追加情報があるかどうかを検出する検出モジュールと、前記製品に追加情報があると、前記ビデオのイメージから選択した表示領域に提示標識を表示する表示モジュールと、前記提示標識が選択されると、前記ビデオの目下の画面の中の製品に対応する追加情報をコレクターに記憶する記憶モジュールと、を備え、前記検出モジュールは、ビデオを放送しているところ、観衆が前記コレクターの起動ボタンを選択したかどうかも検出し、前記表示モジュールは、ビデオを放送しているところ、観衆が前記コレクターの起動ボタンを選択すると、ビデオ放送を一時停止し、前記表示装置に前記製品に対応する追加情報を表示するが、ビデオを放送しているところ、観衆が前記コレクターの起動ボタンを選択しないと、ビデオ放送が終了する際、前記表示装置に前記製品に対応する追加情報を表示する。
【０００６】
本発明に係るビデオの中の追加情報を収集して表示する方法は、表示装置に接続された電子装置の中で実施され、ビデオの中の製品の追加情報を定義し、且つ前記製品が出現する時間に基づいて、前記製品に対応する追加情報をビデオの画面に埋め込むステップと、前記表示装置にビデオを表示するステップと、前記表示装置にビデオを表示する際、前記ビデオの目下の画面の中の製品に対して検出して、前記製品に追加情報があると、前記ビデオのイメージから選択した表示領域に提示標識を表示するステップと、前記提示標識が選択されると、前記ビデオの目下の画面の中の製品に対応する追加情報をコレクターに記憶するステップと、ビデオを放送しているところ、観衆が前記コレクターの起動ボタンを選択したかどうかを検出するステップと、ビデオを放送しているところ、観衆が前記コレクターの起動ボタンを選択すると、ビデオ放送を一時停止し、前記表示装置に前記製品に対応する追加情報を表示するが、ビデオを放送しているところ、観衆が前記コレクターの起動ボタンを選択しないと、ビデオ放送が終了する際、前記表示装置に前記製品に対応する追加情報を表示するステップと、を備える。
【発明の効果】
【０００７】
従来の技術に比べて、本発明のビデオの中の追加情報を収集して表示するシステム及びその方法は、提示標識を利用して、ビデオの目下の画面の中の製品に追加情報があると提示し、観衆の選択を受けて、ビデオの目下の画面の中の製品に対応する追加情報をコレクターに保存し、且つビデオを放送しているところ、ビデオ放送が終了する際、又はビデオ放送が終了してから任意の時間内で、前記コレクターをオープンして、前記製品に対応する追加情報を表示するので、従来のプロダクトプレイスメントにおける、商品情報が欠乏し、ブランドの視認性が高くなく、製品の入手方法を獲得し難いなどの欠点を克服することができる。
【図面の簡単な説明】
【０００８】
【図１】本発明の実施形態に係るビデオの中の追加情報を収集して表示するシステムの実施環境を示す図である。
【図２】図１に示すビデオの中の追加情報を収集して表示するシステムの機能ブロック図である。
【図３】本発明の実施形態に係るビデオの中の追加情報を収集して表示する方法のフローチャートである。
【図４】表示装置に提示標識を表示する１つの例を説明する図である。
【発明を実施するための形態】
【０００９】
以下、図面を参照して、本発明の実施形態について説明する。
【００１０】
図１は、本発明の実施形態に係るビデオの中の追加情報を収集して表示するシステムの実施環境を示す図である。前記ビデオの中の追加情報を収集して表示するシステム１０は、電子装置１の中で実施される。前記電子装置１は、携帯電話、ノートパソコン、ＰＤＡ、卓上型コンピューター、テレビジョンなどであることができ、ストレージシステム２０及びプロセッサー３０を備える。前記電子装置１は、表示装置２を内蔵するか又は外部の表示装置２に接続する。
【００１１】
本実施形態において、前記ビデオの中の追加情報を収集して表示するシステム１０は、ソフトウェアプログラム又は実行形式で前記ストレージシステム２０にインストールされる。他の実施形態において、前記ストレージシステム２０は、前記電子装置１に接続される外部のメモリーでもよい。
【００１２】
前記プロセッサー３０は、前記ビデオの中の追加情報を収集して表示するシステム１０のコードを実行し、即ち提示標識（図４に示されたブラック円点Ｏである）を利用して、ビデオの目下の画面の中の製品に広告のような予め埋め込んだ追加情報が存在することを提示し、観衆の選択を受けて、ビデオの目下の画面の中の製品に対応する追加情報をコレクター１１０に保存し、且つビデオを放送しているところ、ビデオ放送が終了する際、又はビデオ放送が終了してから任意の時間内で、前記コレクター１１０をオープンして、前記製品に対応する追加情報を表示する。
【００１３】
前記追加情報は、前記製品の製品情報であり、具体的に製品のサイズ、形、材料および価格などと関係する情報である。前記追加情報は、例えば、テキスト、オーディオ、広告ファイル、ウェブ広告及び/又は買い物をするウェブサイトを使用して示される。前記ビデオは、映画、連続テレビ番組、テレビジョン又はコンピューターで上映された他の娯楽のようなテレビ番組でもよい。前記製品は、例えば、自動車、時計又は衣服でもよい。
【００１４】
図２は、図１に示すビデオの中の追加情報を収集して表示するシステム１０の機能ブロック図である。前記ビデオの中の追加情報を収集して表示するシステム１０は、定義モジュール１００と、設置モジュール１０２と、検出モジュールと１０４と、表示モジュール１０６と、記憶モジュール１０８と、コレクター１１０と、を備える。前記コレクター１１０は、放送ソフトウェアにおけるプログラムモジュールでもよい。
【００１５】
前記定義モジュール１００は、ビデオの中の製品の追加情報を定義し、且つ前記製品が出現する時間に基づいて、前記製品に対応する追加情報をビデオの画面に埋め込む。前記記憶モジュール１０８は、製品の追加情報をビデオのイメージタイプドキュメントに記憶する。具体的に説明すると、前記記憶モジュール１０８は、前記イメージタイプドキュメントにいろいろな製品及び対応する追加情報をリストの形式で記録する。
【００１６】
前記定義モジュール１００は、前記提示標識の色及び形状も定義する。図４を参照すると、ブラック円点Ｏで前記提示標識を表示する。
【００１７】
前記設置モジュール１０２は、パターンツール枠によってビデオのイメージから前記提示標識の表示領域を選択し、且つ製品がビデオに出現する時間によって、前記提示標識がビデオに出現する開示時間及び終了時間を設置する。
【００１８】
前記表示装置２がビデオを表示する際、前記検出モジュール１０４は、ビデオの目下の画面の中の製品に対して検出して、前記製品に追加情報があるかどうかを検出する。もし前記製品に追加情報があると、前記表示モジュール１０６は、前記表示領域に前記提示標識を表示する。本実施形態において、前記提示標識は、前記表示領域で揺れ動く。
【００１９】
観衆がビデオの目下の画面の中の１つの製品に対して興味を持つ場合、手又はタッチペンなどで前記提示標識をタッチすることができる。他の実施形態において、前記電子装置１がテレビジョンである場合、観衆は、リモコンで前記電子装置１を操作することができ、前記電子装置１が携帯電話、ノートパソコン、卓上型コンピューターなどである場合、観衆は、マウス又はキーボードによって前記提示標識をクリックすることができる。従って、前記ビデオのイメージタイプドキュメントのリストから興味を持っている製品を選択し、前記記憶モジュール１０８は、前記製品に対応する追加情報を前記コレクター１１０に記憶する。
【００２０】
前記検出モジュール１０４は、ビデオを放送しているところ、観衆が前記コレクター１１０の起動ボタンを選択したかどうかも検出する。本実施形態において、前記起動ボタンは、ハードウエア又はソフトウェアの選択ボタンであり、専用に製作されたハンドル又は放送ソフトウェアのインターフェースに設置されることができる。例えば、前記電子装置１がテレビジョンである場合、前記起動ボタンはリモコンに設置されたボタンである。
【００２１】
ビデオを放送しているところ、観衆が前記コレクター１１０の起動ボタンを選択すると、前記表示モジュール１０６は、ビデオ放送を一時停止し、且つ前記コレクター１１０に記憶された前記製品に対応する追加情報を前記表示装置２に表示する。ビデオを放送しているところ、観衆が前記コレクター１１０の起動ボタンを選択しないと、前記表示モジュール１０６は、ビデオ放送が終了する際、前記表示装置２に前記製品に対応する追加情報を表示する。
【００２２】
前記検出モジュール１０４によってビデオを放送しているところ観衆が前記コレクター１１０の起動ボタンを選択しなかったことを検出した場合、前記表示モジュール１０６は、ビデオ放送が終了する際、前記表示装置２に前記製品に対応する追加情報を表示せず、ビデオを放送した後の任意の時間に、観衆が前記コレクター１１０の起動ボタンを選択すると、前記表示装置２に前記製品に対応する追加情報を表示することができる。
【００２３】
他の実施形態において、前記提示標識の数量は１つだけに限定されるものではなく、ビデオの目下の画面の中の製品の数量と同じでもよい。前記設置モジュール１０２は、パターンツール枠によってビデオの画面の各々の製品の周囲の領域を選択して、前記提示標識の表示領域とすることができる。前記検出モジュール１０４によってビデオの目下の画面の中の１つ又は複数の製品がそれぞれ追加情報を有すると検出した場合、前記表示モジュール１０６は、１つ又は複数の前記製品の周囲の表示領域に提示標識を表示する。換言すると、前記表示領域の数量は、前記提示標識の数量と同じである。
【００２４】
図３は、本発明の実施形態に係るビデオの中の追加情報を収集して表示する方法のフローチャートである。
【００２５】
ステップＳ０１において、前記定義モジュール１００は、ビデオの中の製品の追加情報を定義し、且つ前記製品が出現する時間に基づいて、前記製品に対応する追加情報をビデオの画面に埋め込む。前記記憶モジュール１０８は、製品の追加情報をビデオのイメージタイプドキュメントに記憶し、且つ前記イメージタイプドキュメントにいろいろな製品及び対応する追加情報をリストの形式で記録する。
【００２６】
前記ステップにおいて、前記定義モジュール１００は、提示標識の色及び形状も定義し、前記設置モジュール１０２は、パターンツール枠によってビデオのイメージから前記提示標識の表示領域を選択し、且つ製品がビデオに出現する時間によって、前記提示標識がビデオに出現する開示時間及び終了時間を設置する。
【００２７】
ステップＳ０２において、前記表示装置２にビデオを表示する際、前記検出モジュール１０４は、ビデオの目下の画面の中の製品に対して検出して、ステップＳ０３において、ビデオの目下の画面の中の製品に追加情報があるかどうかを検出する。もし前記製品に追加情報があると、ステップＳ０４に入り、もし前記製品に追加情報がないと、ステップＳ０２に戻る。
【００２８】
ステップＳ０４において、前記表示モジュール１０６は、ビデオのイメージから選択した前記表示領域に前記提示標識を表示する。
【００２９】
ステップＳ０５において、前記検出モジュール１０４は、観衆が前記表示領域に表示される前記提示標識を選択したかどうかを検出する。もし観衆が前記提示標識を選択すると、ステップＳ０６に入り、これに反して、観衆が前記提示標識を選択しなかった場合、フローを終了する。
【００３０】
ステップＳ０６において、前記イメージタイプドキュメントのリストに記録されているビデオの目下の画面の中の製品が選択され、前記記憶モジュール１０８は、前記製品に対応する追加情報を前記コレクター１１０に記憶する。
【００３１】
ステップＳ０７において、前記検出モジュール１０４は、ビデオを放送しているところ、観衆が前記コレクター１１０の起動ボタンを選択したかどうかも検出する。ビデオを放送しているところ、観衆が前記コレクター１１０の起動ボタンを選択すると、ステップＳ０８に入り、ビデオを放送しているところ、観衆が前記コレクター１１０の起動ボタンを選択しないと、ステップＳ０９に入る。本実施形態において、前記起動ボタンは、ハードウエア又はソフトウェアの選択ボタンであり、専用に製作されたハンドル又は放送ソフトウェアのインターフェースに設置されることができる。
【００３２】
ステップＳ０８において、前記表示モジュール１０６は、ビデオ放送を一時停止し、前記コレクター１１０に記憶された前記製品に対応する追加情報を前記表示装置２に表示する。
【００３３】
ステップＳ０９において、前記表示モジュール１０６は、ビデオ放送が終了する際、前記表示装置２に前記製品に対応する追加情報を表示する。このステップにおいて、前記表示モジュール１０６は、ビデオ放送が終了する際、前記表示装置２に前記製品に対応する追加情報を表示せず、ビデオを放送した後の任意の時間に、観衆が前記コレクター１１０の起動ボタンを選択すると、前記表示装置２に前記製品に対応する追加情報を表示することができる。
【００３４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００３５】
１  電子装置
２  表示装置
１０  ビデオの中の追加情報を収集して表示するシステム
２０  ストレージシステム
３０  プロセッサー
１００  定義モジュール
１０２  設置モジュール
１０４  検出モジュール
１０６  表示モジュール
１０８  記憶モジュール
１１０  コレクター
Ｏ  提示標識
【図１】
2012095297.tif 000003
【図２】
2012095297.tif 000004
【図３】
2012095297.tif 000005
【図４】
2012095297.tif 000006